(57)【要約】【課題】光源の取り付けや取り外しを容易にできる、あるいは光源への漏水を防止することができる照明付浴槽装置を提供する。【解決手段】透光性を有する浴槽と、可撓性を有する連結体と、前記連結体により支持された複数の光源と、を有する連結光源と、前記連結光源を挿脱可能な挿入部を有し、前記浴槽の外側において周状に配設されたガイド部材と、を備え、前記連結光源は、前記挿入部から挿脱可能に前記ガイド部材に挿入支持され、前記連結光源が前記ガイド部材に支持された状態において、前記浴槽の外側において周状に配設された前記複数の光源から放出された光が、前記浴槽を透過して前記浴槽の内部に至ることを特徴とする照明付浴槽装置が提供される。【選択図】図１
2010029385.tif 000002
【特許請求の範囲】
【請求項１】
透光性を有する浴槽と、
可撓性を有する連結体と、前記連結体により支持された複数の光源と、を有する連結光源と、
前記連結光源を挿脱可能な挿入部を有し、前記浴槽の外側において周状に配設されたガイド部材と、
を備え、
前記連結光源は、前記挿入部から挿脱可能に前記ガイド部材に挿入支持され、
前記連結光源が前記ガイド部材に支持された状態において、前記浴槽の外側において周状に配設された前記複数の光源から放出された光が、前記浴槽を透過して前記浴槽の内部に至ることを特徴とする照明付浴槽装置。
【請求項２】
前記ガイド部材は、透光性を有することを特徴とする請求項１記載の照明付浴槽装置。
【請求項３】
前記ガイド部材は、ガイド部材本体と、前記ガイド部材本体における前記連結光源との当接面に積層された被覆層と、を有し、前記被覆層は、前記連結光源本体よりも摺動性の高い材料から形成されてなることを特徴する請求項１または２に記載の照明付浴槽装置。
【請求項４】
前記浴槽及び前記ガイド部材を取り囲む外周壁をさらに備え、
前記外周壁は、開口部を有し、
前記挿入部は、前記開口部の近傍に配置されてなることを特徴とする請求項１〜３のいずれか１つに記載の照明付浴槽装置。
【請求項５】
前記複数の光源のそれぞれは、ＬＥＤであることを特徴とする請求項１〜４のいずれか１つに記載の照明付浴槽装置。
【請求項６】
前記ガイド部材は、固定部材により前記浴槽の裏面に固定されてなることを特徴とする請求項１〜５のいずれか１つに記載の照明付浴槽装置。
【請求項７】
前記浴槽を支持する支持体をさらに備え、
前記ガイド部材は、固定部材により前記支持体に固定されてなることを特徴とする請求項１〜５のいずれか１つに記載の照明付浴槽装置。
【請求項８】
前記複数の光源から放出された光が前記浴槽に向かって反射するように前記連結光源の周囲に設けられた反射体をさらに備え、
前記ガイド部材は、前記反射体に固定されてなることを特徴とする請求項１〜５のいずれか１つに記載の照明付浴槽装置。
【発明の詳細な説明】
【技術分野】
【０００１】
本発明の態様は、一般的に、照明付浴槽装置に関し、具体的には照明を使って浴槽内を光らせることができる照明付浴槽装置に関する。
【背景技術】
【０００２】
浴槽のデザイン性を高めたり、演出効果を高めるために、浴槽近傍に照明器具を取り付けた浴槽がある。そのような浴槽では、例えば、照明器具を浴槽の裏面側に取り付け、浴槽の一部に切り欠きを設けることにより、照明器具からの光を浴槽内に通すなどの工夫がなされている。
【０００３】
しかしながら、浴槽の一部に切り欠きを設けた場合には、照明器具に向かって水（湯）が漏れないようにするための防水加工が必要になる。
【０００４】
これに対して、透明層と加飾層と補強層とが積層上に形成されてなる浴槽を使用し、その加飾層と補強層とにのみ切欠部を形成して、浴槽の裏面側に取り付けた照明器具の光を透明層を通して浴槽内を光らせることができる浴槽の演出照明装置がある（特許文献１）。特許文献１に記載された装置によれば、浴槽内の水（湯）の漏水を完全に回避することができる。
【０００５】
しかしながら、特許文献１に記載された装置において照明器具のメンテナンスを行う際には、浴槽を持ち上げたり取り外す必要があり、大変な作業を強いられるという問題がある。これは、浴槽の一部に切り欠きが設けられていないためである。
【特許文献１】特許第３６８７０６３号公報
【発明の開示】
【発明が解決しようとする課題】
【０００６】
本発明の態様は、かかる課題の認識に基づいてなされたものであり、浴槽の一部を切り欠くことなく浴槽内を光らせることが可能で、且つ光源の取り付けや取り外しを容易にできる照明付浴槽装置を提供する。
【課題を解決するための手段】
【０００７】
本発明の一態様によれば、透光性を有する浴槽と、可撓性を有する連結体と、前記連結体により支持された複数の光源と、を有する連結光源と、前記連結光源を挿脱可能な挿入部を有し、前記浴槽の外側において周状に配設されたガイド部材と、を備え、前記連結光源は、前記挿入部から挿脱可能に前記ガイド部材に挿入支持され、前記連結光源が前記ガイド部材に支持された状態において、前記浴槽の外側において周状に配設された前記複数の光源から放出された光が、前記浴槽を透過して前記浴槽の内部に至ることを特徴とする照明付浴槽装置が提供される。
【発明の効果】
【０００８】
本発明の態様によれば、浴槽の一部を切り欠くことなく浴槽内を光らせることが可能で、且つ光源の取り付けや取り外しを容易にできる照明付浴槽装置が提供される。
【発明を実施するための最良の形態】
【０００９】
第１の発明は、透光性を有する浴槽と、可撓性を有する連結体と、前記連結体により支持された複数の光源と、を有する連結光源と、前記連結光源を挿脱可能な挿入部を有し、前記浴槽の外側において周状に配設されたガイド部材と、を備え、前記連結光源は、前記挿入部から挿脱可能に前記ガイド部材に挿入支持され、前記連結光源が前記ガイド部材に支持された状態において、前記浴槽の外側において周状に配設された前記複数の光源から放出された光が、前記浴槽を透過して前記浴槽の内部に至ることを特徴とする照明付浴槽装置である。  
この照明付浴槽装置によれば、連結光源は挿入部を有するガイド部材に挿脱可能なように挿入されているため、光源を交換することが必要になった際に、浴槽を動かすことなく、挿入部から連結光源の取り付け、および取り外し作業を容易に行うことができる。
【００１０】
また、第２の発明は、第１の発明において、前記ガイド部材は、透光性を有することを特徴とする照明付浴槽装置である。  
この照明付浴槽装置によれば、ガイド部材によって遮光されることがないため、浴槽をより明るく光らせることができる、あるいは光る部分と光らない部分とが生ずることを防止できる。
【００１１】
また、第３の発明は、第１または第２の発明において、前記ガイド部材は、ガイド部材本体と、前記ガイド部材本体における前記連結光源との当接面に積層された被覆層と、を有し、前記被覆層は、前記連結光源本体よりも摺動性の高い材料から形成されてなることを特徴する照明付浴槽装置である。  
この照明付浴槽装置によれば、ガイド部材の内面に摺動性を向上させる被覆層が積層されているため、連結光源の取り付け／取り外し作業を円滑に行うことができる。
【００１２】
また、第４の発明は、第１〜第３のいずれか１つの発明において、前記浴槽及び前記ガイド部材を取り囲む外周壁をさらに備え、前記外周壁は、開口部を有し、前記挿入部は、前記開口部の近傍に配置されてなることを特徴とする照明付浴槽装置である。  
この照明付浴槽装置によれば、開放された空間に向かって設けられた開口部の近傍にガイド部材の挿入部が配置されているため、その開口部から手を入れることにより連結光源の取り付け／取り外し作業を容易に行うことができる。すなわち、且つ浴槽の奥側に手を伸ばして作業を行う必要はない。
【００１３】
また、第５の発明は、第１〜第４のいずれか１つの発明において、前記複数の光源のそれぞれは、ＬＥＤであることを特徴とする照明付浴槽装置である。  
この照明付浴槽装置によれば、光源の寿命を延ばすことができ、光源の交換の頻度を低減できる。
【００１４】
また、第６の発明は、第１〜第５のいずれか１つの発明において、前記ガイド部材は、固定部材により前記浴槽の裏面に固定されてなることを特徴とする照明付浴槽装置である。  
この照明付浴槽装置によれば、連結光源と浴槽とがより近いため、浴槽をより明るく光らせることができる。また、ガイド部材は浴槽に直接的に固定されているため、他の部材の取付精度や位置精度によらず、浴槽を略一定の明るさに光らせることができる。
【００１５】
また、第７の発明は、第１〜第５のいずれか１つの発明において、前記浴槽を支持する支持体をさらに備え、前記ガイド部材は、固定部材により前記支持体に固定されてなることを特徴とする照明付浴槽装置である。  
この照明付浴槽装置によれば、連結光源と浴槽とがより近いため、浴槽をより明るく光らせることができる。また、ガイド部材を予め支持体に固定することができるため、ガイド部材の固定作業をより簡易化することができる。
【００１６】
また、第８の発明は、第１〜第５のいずれか１つの発明において、前記複数の光源から放出された光が前記浴槽に向かって反射するように前記連結光源の周囲に設けられた反射体をさらに備え、前記ガイド部材は、前記反射体に固定されてなることを特徴とする照明付浴槽装置である。  
この照明付浴槽装置によれば、反射体の近傍に光源が配置されるため、より多くの光を反射することができる。つまり、より多くの光を浴槽に照射することができるため、浴槽をより明るく光らせることができる。
【００１７】
以下、本発明の実施の形態について図面を参照しつつ説明する。なお、各図面中、同様の構成要素には同一の符号を付して詳細な説明は適宜省略する。  
図１は、本発明の実施の形態にかかる照明付浴槽装置を上方から眺めた上面模式図である。  
また、図２は、本実施形態にかかる照明付浴槽装置を側方から眺めた側面模式図である。
【００１８】
本実施形態にかかる照明付浴槽装置は、透光性を有する浴槽１０と、光を照射する複数の光源を有する連結光源２０ａ、２０ｂと、その連結光源２０ａ、２０ｂをそれぞれ保持するガイド部材３０ａ、３０ｂと、を備えている。なお、本願明細書において「透光性」とは、連結光源からの光をほとんど反射も吸収もせずに透過させるか、あるいは連結光源からの光を一部吸収したり反射したりしても残りの光を透過し、浴槽１０の内側（水（湯）を溜めて使用者がその中に入ることのできる側）まで到達させ得る性質をいう。また、本願明細書において「水」という場合には、冷水のみならず、加熱されたお湯も含むものとする。
【００１９】
本実施形態にかかる照明付浴槽装置は、電源部６２と、電源スイッチ６４と、をさらに備えている。図１に表したように、その電源スイッチ６４は外部電源に接続されている。そして、連結光源２０ａ、２０ｂは電源部６２と電源スイッチ６４を介して外部電源に接続されている。使用者は電源スイッチ６４を切り替えることによって、その連結光源２０ａ、２０ｂを点灯させたり消灯させることができる。
【００２０】
図２に表したように、連結光源２０ａ、２０ｂとガイド部材３０ａ、３０ｂとは、浴槽１０の下方部に配置されている。また、図１に表したように、連結光源２０ａとガイド部材３０ａとは、浴槽１０の底面部１１および側面部１２の前方部に配置されており、連結光源２０ｂとガイド部材３０ｂとは、浴槽１０の底面部１１および側面部１２の後方部および左右側方部に配置されている。そして、連結光源２０ａ、２０ｂとガイド部材３０ａ、３０ｂとは全体として、浴槽１０の外部において底面部１１および側面部１２の少なくともいずれかを取り囲むように周状に配置されている。
【００２１】
そのため、連結光源２０ａ、２０ｂは、後に詳述するように、浴槽１０の底面部１１と側面部１２との境界部近傍を周状に光らせることができる。そして、浴槽１０は透光性を有するため、連結光源２０ａ、２０ｂは、浴槽１０を通して浴槽１０の内側を光らせることができる。なお、連結光源とガイド部材とは、図１に表したように複数に分割されていなくともよい。例えば、連結光源とガイド部材とはそれぞれ１つの部材からなり、それらの連結光源とガイド部材とが浴槽１０の底面部１１および側面部１２の少なくともいずれかを取り囲むように周状に配置されていてもよい。
【００２２】
浴槽１０の下方部には、浴槽１０を支持する支持体５０が設けられている。また、浴槽１０の周囲には、浴槽の側面部１２に対向する面１３（以下、説明の便宜上「裏面」という。）を隠したり、支持体５０を隠して、照明付浴槽装置のデザイン性を高める外周壁（エプロン）５５が設けられている。そして、外周壁５５には、連結光源２０ａ、２０ｂの取り付け／取り外し作業が可能な開口部５６ａ、５６ｂが設けられている。これについては、後に詳述する。
【００２３】
図３は、本実施形態にかかる照明付浴槽装置の断面を表す断面模式図であり、図１に表したＡ−Ａ断面図に相当する。  
図３に表したように、連結光源２０ａとガイド部材３０ａとは、浴槽１０の裏面１３側に設けられている。連結光源２０ａとガイド部材３０ａとの周囲には、反射体４１、４２が設けられている。反射体４２は支持体５０に適宜固定され、反射体４１は反射体４２の上方部に適宜固定されている。そして、ガイド部材３０ａは、反射体４２に固定されている。
【００２４】
浴槽１０と支持体５０とは、接着剤５２によって接合されている。そして、接着剤５２が連結光源２０ａの方に流れ込むことを防止するため、図３に表したように、浴槽１０と反射体４２との間には封止体４５が設けられている。また、これと同様に、浴槽１０と反射体４１との間には封止体４４が設けられている。そのため、連結光源２０ａの周囲には、浴槽１０と、反射体４１、４２と、封止体４４、４５と、によって囲まれた空間が存在する。
【００２５】
連結光源２０ａから照射された光は、浴槽１０の底面部１１と側面部１２との境界部１４に直接的に入射する。あるいは、連結光源２０ａから照射された光は、直接的に境界部１４に入射しない場合であっても、反射体４１、４２で乱反射されることによって、間接的に境界部１４に入射する。そして、浴槽１０は、前述したように透光性を有するため、連結光源２０ａから直接的あるいは間接的に入射した光を浴槽１０の内側に透過できる。
【００２６】
このようにして、本実施形態にかかる照明付浴槽装置は、境界部１４近傍を光らせることができる。また、連結光源２０ａ、２０ｂとガイド部材３０ａ、３０ｂとは、図１に関して前述したように、浴槽１０の外部において底面部１１および側面部１２の少なくともいずれかを取り囲むように周状に配置されているため、境界部１４近傍を周状に光らせることができる。そのため、浴槽１０の一部を切り欠くことなく、その内側の水中内に光を照射して、浴槽のデザイン性を高めたり、演出効果を高めることができる。また、本実施形態にかかる照明付浴槽装置は、光を通すための切り欠きや窓などを備えていないため、連結光源への漏水を防止することができる。
【００２７】
さらに、連結光源２０ａから照射された光は、底面部１１にはほとんど入射しない。すなわち、浴槽１０の境界部１４近傍は周状に光るが、浴槽１０の底面部１１はほとんど光らない。そのため、使用者が入浴の際に浴槽１０の底面部１１を見にくく感じるおそれは少なく、その底面部１１をより確実に目視することができる。これにより、使用者はより安心して足を浴槽１０に入れることができる。なお、図３に表した断面模式図においては、連結光源２０ａおよびガイド部材３０ａの周囲の構造について説明したが、連結光源２０ｂおよびガイド部材３０ｂの周囲の構造についても同様の構造を有している。
【００２８】
次に、連結光源およびガイド部材の具体例について、図面を参照しつつ説明する。  
図４は、連結光源およびガイド部材の具体例を説明するための模式図であり、連結光源をガイド部材に挿入する前の状態を表す模式図である。  
また、図５は、本具体例にかかる連結光源をガイド部材に挿入した後の状態を表す模式図である。  
なお、説明の便宜上、連結光源２０ａおよびガイド部材３０ａについて以下説明するが、連結光源２０ｂおよびガイド部材３０ｂについても同様の構造を有する。
【００２９】
連結光源２０ａは、連結体２２ａと、複数の光源２３と、を有している。連結体２２ａは、例えば弾性体などからなり、可撓性を有している。また、連結体２２ａは、図４に表したように、多段形状を有している。光源２３は、連結体２２ａに連なるように配列されている。光源２３は非可撓性を有しているが、可撓性を有する連結体２２ａに配列されているため、光源２３とそれに隣接する光源２３との間の連結体２２ａは撓むことができる。そのため、連結光源２０ａは全体として可撓性を有している。なお、光源２３は、ＬＥＤ（Light Emitting Diode）であることが好ましい。これによれば、光源２３の寿命を延ばすことができる。
【００３０】
ガイド部材３０ａは、図４に表したように、固定部材４７によって反射体４２に固定されている。また、ガイド部材３０ａは、連結光源２０ａと同様に可撓性を有している。なお、ガイド部材３０ａは、例えば接着剤などによって反射体４２に固定されていてもよい。ガイド部材３０ａは、一端に挿入部３１ａを有している。また、ガイド部材３０ａは、ガイド部材本体３７ａと、ガイド部材本体３７ａの長手方向に沿って設けられた内面３２ａ、３３ａ、３４ａ、３５ａ、３６ａに積層された被覆層３８ａと、を有する。この被覆層３８ａは、ガイド部材本体３７ａよりも摺動性の高い材料から形成されている。被覆層３８ａとしては、例えばポリエチレンなどのオレフィン系樹脂のコーティング被膜などが挙げられる。
【００３１】
ガイド部材３０ａの長手方向に対して垂直方向の挿入部３１ａの断面形状と、連結光源２０ａの長手方向に対して垂直方向の連結体２２ａの断面形状と、は略相似している。そのため、ガイド部材３０ａの挿入部３１ａから矢印の方向に連結光源２０ａを挿入することができる。このとき、ガイド部材３０ａは、図１に表したように、浴槽１０の底面部１１および側面部１２の後方部および左右側方部に配置された状態で反射体４２に固定されているが、連結光源２０ａは可撓性を有しているため、ガイド部材３０ａの配置形状に沿って移動できる。
【００３２】
さらに、前述したように、ガイド部材本体３７ａの内面３２ａ、３３ａ、３４ａ、３５ａ、３６ａには被覆層３８ａが設けられているため、連結光源２０ａはそれらの内面を滑らかに移動できる。その結果、連結光源２０ａは、内面３２ａ、３３ａ、３４ａ、３５ａ、３６ａ上を滑らかに摺動しつつ挿入され、図５に表したように、光源２３をガイド部材３０ａの外部に向けた状態で保持される。そして、この保持状態のまま、光源２３は光を照射し、浴槽１０の境界部１４近傍を周状に光らせることができる。
【００３３】
図４および図５に表したガイド部材３０ａは、説明の便宜上、一端の挿入部３１ａ側を表しているが、他端にも同様に挿入部を有している。そのため、ガイド部材３０ａの両端の挿入部から連結光源２０ａを挿脱可能である。そして、図２に表したように、一端の挿入部は外周壁５５の開口部５６ａ近傍に配置されており、他端の挿入部は外周壁５５の開口部５６ｂ近傍に配置されている。そして、開口部５６ａ、５６ｂは、例えば壁面ではない開放された空間に向かって設けられている。そのため、開口部５６ａあるいは開口部５６ｂから連結光源２０ａを容易に取り付けたり、取り外すことができる。また、連結光源２０ａは被覆層３８ａにより滑らかに内面を移動できるため、より容易に連結光源２０ａを取り付けたり、取り外すことができる。
【００３４】
さらに、連結光源２０ａ、２０ｂとガイド部材３０ａ、３０ｂとは、それぞれ複数に分割されているため、それぞれ１つの部材からなる場合よりも容易に連結光源２０ａ、２０ｂを取り付けたり、取り外すことができる。これは、連結光源とガイド部材とが、それぞれ１つの部材によって浴槽１０の底面部１１および側面部１２の少なくともいずれかを取り囲むように周状に配置されている場合には、長い全長を有する連結光源を取り付けたり、取り外す必要性が生ずるためである。
【００３５】
なお、連結光源２０ａを取り付けたり、取り外す場合であっても、ガイド部材３０ａは反射体４２に固定されている。また、連結光源２０ａの全長はガイド部材３０ａの全長よりも長く、且つ連結光源２０ｂの全長はガイド部材３０ｂの全長よりも長いことが好ましい。これによれば、浴槽１０の一部を切り欠くことなく、浴槽１０の境界部１４近傍をより確実に周状に光らせることができる。すなわち、境界部１４近傍において、光る部分と光らない部分とが生ずることを防止できる。したがって、浴槽のデザイン性をより高めたり、演出効果をより高めることができる。
【００３６】
図６は、連結光源およびガイド部材の他の具体例を説明するための模式図であり、連結光源をガイド部材に挿入する前の状態を表す模式図である。  
また、図７は、本具体例にかかる連結光源をガイド部材に挿入した後の状態を表す模式図である。  
なお、説明の便宜上、連結光源２０ａおよびガイド部材３０ａについて以下説明するが、連結光源２０ｂおよびガイド部材３０ｂについても同様の構造を有する。
【００３７】
連結光源８０ａは、連結光源２０ａと同様に、連結体８２ａと、複数の光源２３と、を有している。連結体８２ａは、例えば弾性体などからなり、可撓性を有している。但し、連結体８２ａは連結体２２ａのようには多段形状を有していなくともよく、図６に表したように単段形状であってもよい。光源２３は非可撓性を有しているが、可撓性を有する連結体８２ａに配列されているため、光源２３とそれに隣接する光源２３との間の連結体８２ａは撓むことができる。そのため、連結光源８０ａは全体として可撓性を有している。
【００３８】
ガイド部材９０ａは、図６に表したように、固定部材４８によって反射体４２に固定されている。本具体例においては、反射体４２は孔４３を有している。この孔４３は、反射体４２を貫通して設けられている。固定部材４８は孔４３を通って、ガイド部材９０ａと反射体４２とを固定している。
【００３９】
ガイド部材９０ａは中空形状を有しており、一端に挿入部９１ａを有している。また、ガイド部材９０ａは、透光性を有している。そして、ガイド部材９０ａは、ガイド部材３０ａと同様に、ガイド部材本体９７ａと、ガイド部材本体の内面９２ａに積層された被覆層９８ａと、を有する。この被覆層９８ａは、ガイド部材本体９７ａよりも摺動性の高い材料から形成されている。ガイド部材本体９７ａの材質としては、例えば可撓性を有する塩化ビニル樹脂などが挙げられる。一方、被覆層９８ａとしては、例えばポリエチレンなどのオレフィン系樹脂のコーティング被膜などが挙げられる。
【００４０】
ガイド部材９０ａの長手方向に対して垂直方向の挿入部９１ａの断面積は、連結光源８０ａの長手方向に垂直方向の連結体８２ａおよび光源２３の断面積よりも大きい。そのため、ガイド部材９０ａの挿入部９１ａから矢印の方向に連結光源８０ａを挿入することができる。このとき、ガイド部材９０ａは、図１に表したように、浴槽１０の底面部１１および側面部１２の後方部および左右側方部に配置された状態で反射体４２に固定されているが、連結光源８０ａは可撓性を有しているため、ガイド部材９０ａの配置形状に沿って移動できる。
【００４１】
さらに、ガイド部材本体９７ａの内面９２ａには被覆層９８ａが設けられているため、連結光源８０ａは内面９２ａを滑らかに移動できる。その結果、連結光源８０ａは、内面９２ａを滑らかに移動しつつ挿入され、図７に表したように、ガイド部材９０ａの内部に収納される。そして、この収納状態のまま、光源２３は光を照射できる。このとき、ガイド部材９０ａは透光性を有しているため、光源２３から照射された光はガイド部材９０ａを通って浴槽１０の境界部１４に入射できる。そのため、光源２３は、浴槽１０の一部を切り欠くことなく、浴槽１０の境界部１４近傍を周状に光らせることができる。
【００４２】
図６および図７に表したガイド部材９０ａは、説明の便宜上、一端の挿入部９１ａ側を表しているが、他端にも同様に挿入部を有している。そのため、ガイド部材９０ａの両端の挿入部から連結光源８０ａを挿脱可能である。そして、図２に表したように、一端の挿入部は外周壁５５の開口部５６ａ近傍に配置されており、他端の挿入部は外周壁５５の開口部５６ｂ近傍に配置されている。そして、図４および図５に関して前述したように、開口部５６ａ、５６ｂは、例えば壁面ではない開放された空間に向かって設けられている。そのため、図４および図５に関して前述したように、開口部５６ａあるいは開口部５６ｂから連結光源２０ａを容易に取り付けたり、取り外すことができる。
【００４３】
なお、ガイド部材９０ａは反射体４２に固定されている。また、図４および図５に表した具体例と同様に、連結光源８０ａの全長はガイド部材９０ａの全長よりも長く、且つ連結光源８０ｂの全長はガイド部材９０ｂの全長よりも長いことが好ましい。これによれば、図４および図５に表した具体例に関して前述した効果と同様の効果を得ることができる。また、固定部材４８は、透光性を有していることが好ましい。これによれば、光源２３から照射された光の少なくとも一部は固定部材４８を透過できるため、光る部分と光らない部分とが生ずることを防止できる。その他の効果についても、図４および図５に関して前述した効果と同様の効果を得ることができる。
【００４４】
次に、連結光源およびガイド部材の設置形態の変形例について、図面を参照しつつ説明する。なお、以下の変形例に関する説明においては、図６および図７に表した具体例にかかる連結光源８０ａおよびガイド部材９０ａを使用した場合を例に挙げて説明する。  
図８は、連結光源およびガイド部材の設置形態の変形例を例示する模式図であり、図１に表したＡ−Ａ断面図に相当する。
【００４５】
本変形例においては、ガイド部材９０ａは反射体４２ではなく、透光性を有する取付部４９を介して浴槽１０の裏面１３に固定されている。取付部４９は、例えば接着剤などにより浴槽１０の裏面１３に固定されている。ガイド部材９０ａは、固定部材４６、４７によって取付部４９に固定されている。その他の構造については、図１〜図３に関して前述した照明付浴槽装置の構造と同様である。
【００４６】
本変形例によれば、ガイド部材９０ａは取付部４９を介して浴槽１０の裏面１３に固定されているため、境界部１４近傍をより明るく光らせることができる。これは、連結光源８０ａと浴槽１０とがより近いためである。また、ガイド部材９０ａは浴槽１０に直接的に固定されているため、連結光源８０ａからの光によって照射された境界部１４近傍の明るさが、反射体４２や支持体５０などの位置精度に影響を受けるおそれは少ない。すなわち、連結光源８０ａからの光によって照射された境界部１４近傍の明るさは、浴槽１０と連結光源８０ａとの相対位置に大きく影響する。そのため、反射体４２や支持体５０などの取付精度や位置精度によらず、境界部１４近傍を略一定の明るさに光らせることができる。
【００４７】
なお、固定部材４６は透光性を有することが好ましい。これによれば、連結光源８０ａから照射された光の少なくとも一部は固定部材４６を透過できるため、より確実に反射体４１、４２に到達することができる。反射体４１、４２に到達した光は反射体４１、４２で乱反射されることによって、間接的に境界部１４に入射できる。したがって、境界部１４近傍をより明るく光らせることができる。また、その他の効果についても、図１〜図３および図６〜図７に関して前述した効果と同様の効果を得ることができる。
【００４８】
図９は、連結光源およびガイド部材の設置形態の他の変形例を例示する模式図であり、図１に表したＡ−Ａ断面図に相当する。  
本変形例においては、ガイド部材９０ａは反射体４２ではなく、支持体５０に固定されている。より具体的には、ガイド部材９０ａは固定部材４６、４７によって支持体５０に固定されている。その他の構造については、図１〜図３に関して前述した照明付浴槽装置の構造と同様である。
【００４９】
本変形例によれば、ガイド部材９０ａが反射体４２に固定されている場合に比べて、境界部１４近傍をより明るく光らせることができる。これは、ガイド部材９０ａが反射体４２に固定されている場合に比べて、連結光源８０ａと浴槽１０とがより近いためである。また、ガイド部材９０ａを予め支持体５０に固定することができるため、ガイド部材９０ａの固定作業をより簡易化することができる。
【００５０】
なお、固定部材４６は透光性を有することが好ましい。これによれば、連結光源８０ａから照射された光の少なくとも一部は固定部材４６を透過できるため、より確実に境界部１４や反射体４１、４２に到達することができる。したがって、境界部１４近傍をより明るく光らせることができる。また、その他の効果についても、図１〜図３および図６〜７図７に関して前述した効果と同様の効果を得ることができる。
【００５１】
以上説明したように、本実施形態によれば、連結光源は、可撓性を有する連結体と、複数の光源と、を有している。また、ガイド部材は可撓性を有し、両端に挿入部を有している。そのため、ガイド部材の両端の挿入部から容易に連結光源を取り付けたり、取り外すことができる。さらに、浴槽１０は光を通すための切り欠きや窓などを有していないため、連結光源への漏水を防止することができる。連結光源およびガイド部材は、浴槽１０の底面部１１および側面部１２の少なくともいずれかを取り囲むように周状に配置されている。そのため、本実施形態にかかる照明付浴槽装置は、浴槽１０の一部を切り欠くことなく、浴槽１０の境界部１４近傍を周状に光らせることができる。
【００５２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、連結光源２０ａ、２０ｂやガイド部材３０ａ、３０ｂなどが備える各要素の形状、寸法、材質、配置などやガイド部材３０ａ、３０ｂの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００５３】
【図１】本発明の実施の形態にかかる照明付浴槽装置を上方から眺めた上面模式図である。
【図２】本実施形態にかかる照明付浴槽装置を側方から眺めた側面模式図である。
【図３】本実施形態にかかる照明付浴槽装置の断面を表す断面模式図であり、図１に表したＡ−Ａ断面図に相当する。
【図４】連結光源およびガイド部材の具体例を説明するための模式図であり、連結光源をガイド部材に挿入する前の状態を表す模式図である。
【図５】本具体例にかかる連結光源をガイド部材に挿入した後の状態を表す模式図である。
【図６】連結光源およびガイド部材の他の具体例を説明するための模式図であり、連結光源をガイド部材に挿入する前の状態を表す模式図である。
【図７】本具体例にかかる連結光源をガイド部材に挿入した後の状態を表す模式図である。
【図８】連結光源およびガイド部材の設置形態の変形例を例示する模式図であり、図１に表したＡ−Ａ断面図に相当する。
【図９】連結光源およびガイド部材の設置形態の他の変形例を例示する模式図であり、図１に表したＡ−Ａ断面図に相当する。
【符号の説明】
【００５４】
１０ 浴槽、  １１ 底面部、  １２ 側面部、  １３ 裏面、  １４ 境界部、  ２０ａ、２０ｂ 連結光源、  ２２ａ、２２ｂ 連結体、  ２３ 光源、  ３０ａ、３０ｂ ガイド部材、  ３１ａ、３１ｂ 挿入部、  ３２ａ、３２ｂ、３３ａ、３３ｂ、３４ａ、３４ｂ、３５ａ、３５ｂ、３６ａ、３６ｂ 内面、  ３７ａ、３７ｂ ガイド部材本体、  ３８ａ、３８ｂ 被覆層、  ４１、４２ 反射体、  ４３ 孔、  ４４、４５ 封止体、  ４６、４７、４８ 固定部材、  ４９ 取付部、  ５０ 支持体、  ５２ 接着剤、  ５５ 外周壁、  ５６ａ、５６ｂ 開口部、  ６２ 電源部、  ６４ 電源スイッチ、  ８０ａ、８０ｂ 連結光源、  ８２ａ、８２ｂ 連結体、  ９０ａ、９０ｂ ガイド部材、  ９１ａ、９１ｂ 挿入部、  ９２ａ、９２ｂ 内面、  ９７ａ、９７ｂ ガイド部材本体、  ９８ａ、９８ｂ 被覆層
【図１】
2010029385.tif 000003
【図２】
2010029385.tif 000004
【図３】
2010029385.tif 000005
【図４】
2010029385.tif 000006
【図５】
2010029385.tif 000007
【図６】
2010029385.tif 000008
【図７】
2010029385.tif 000009
【図８】
2010029385.tif 000010
【図９】
2010029385.tif 000011